(57)【要約】【課題】容易にコンテンツの検索、選択などを行えると共に、高品質な状態でコンテンツを出力することができるコンテンツ出力システム、コンテンツ出力方法、プログラム、端末装置および出力装置を提供する。【解決手段】コンテンツ出力システムはコンテンツの検索、選択などを行う端末装置と、コンテンツの出力を行う出力装置とからなる。端末装置は例えばパーソナルコンピュータであり、ユーザがＷｅｂブラウザを用いてコンテンツのリンクをクリックすることにより試聴するコンテンツを選択すると、コンテンツ判定部がそのコンテンツのＵＲＩを参照してコンテンツの種別を判定する。そして、コンテンツが所定のコンテンツであると判定した場合にそのコンテンツのＵＲＩを出力装置に送信する。そして、出力装置はそのＵＲＩに基づいてＷｅｂサーバにアクセスすることによりコンテンツを受信して表示部に出力する。【選択図】図１
2011254287.tif 000002
【特許請求の範囲】
【請求項１】
端末装置と出力装置とからなり、
前記端末装置は、
ユーザによるコンテンツの選択の入力を受け付ける入力手段と、
前記ユーザからの前記入力手段への入力により選択された前記コンテンツが所定のコンテンツであるか否かを判定する判定手段と、
該判定手段により前記コンテンツが前記所定のコンテンツであると判定された場合に該コンテンツに関する情報であるコンテンツ情報を前記出力装置に送信するコンテンツ情報送信手段と、
を備え
前記出力装置は、
前記コンテンツ情報送信手段から送信された前記コンテンツ情報を受信するコンテンツ情報受信手段と、
前記コンテンツ情報に対応する前記コンテンツを受信するコンテンツ受信手段と、
該コンテンツ受信手段により受信した前記コンテンツを出力する出力手段と、
を備える
コンテンツ出力システム。
【請求項２】
前記コンテンツは、インターネット上のサーバに格納されており、前記コンテンツ情報は前記コンテンツの前記インターネット上における場所を示すＵＲＩである請求項１に記載のコンテンツ出力システム。
【請求項３】
前記判定手段は、前記ＵＲＩを参照することにより前記ユーザにより選択された前記コンテンツが前記所定のコンテンツであるか否かを判定する請求項２に記載のコンテンツ出力システム。
【請求項４】
前記所定のコンテンツは動画コンテンツである請求項１に記載のコンテンツ出力システム。
【請求項５】
前記端末装置はパーソナルコンピュータであり、前記出力装置はテレビジョン受像機である請求項４に記載のコンテンツ出力システム。
【請求項６】
前記入力手段は、さらに、前記ユーザから前記コンテンツ情報を前記出力装置に送信する指示の入力を受け付け、
前記コンテンツ情報送信手段は、前記コンテンツ情報を前記出力装置に送信する指示が入力された場合に前記コンテンツ情報を前記出力装置に送信する請求項１に記載のコンテンツ出力システム。
【請求項７】
前記端末装置はさらに、
前記判定手段により前記コンテンツが前記所定のコンテンツであると判定された場合に前記コンテンツの出力を前記出力装置で行う旨の表示を行う表示手段を備える請求項１に記載のコンテンツ出力システム。
【請求項８】
端末装置と出力装置とからなるコンテンツ出力システムにおけるコンテンツ出力方法であって、
前記端末装置において実行される
ユーザによるコンテンツの選択の入力を受け付ける入力ステップと、
該入力ステップにおける前記ユーザからの入力により選択された前記コンテンツが所定のコンテンツであるか否かを判定する判定ステップと、
該判定ステップにより前記コンテンツが前記所定のコンテンツであると判定された場合に該コンテンツに関する情報であるコンテンツ情報を前記出力装置に送信するコンテンツ情報送信ステップと、
前記出力装置において実行される
前記コンテンツ情報送信ステップにより送信された前記コンテンツ情報を受信するコンテンツ情報受信ステップと、
前記コンテンツ情報に対応する前記コンテンツを受信するコンテンツ受信ステップと、
該コンテンツ受信ステップにより受信した前記コンテンツを出力する出力ステップと、
からなる
コンテンツ出力方法。
【請求項９】
端末装置に、
ユーザによるコンテンツの選択の入力を受け付ける入力ステップと、
該入力ステップにおける前記ユーザからの入力により選択された前記コンテンツが所定のコンテンツであるか否かを判定する判定ステップと、
該判定ステップにより前記コンテンツが前記所定のコンテンツであると判定された場合に該コンテンツに関する情報であるコンテンツ情報を前記出力装置に送信するコンテンツ情報送信ステップとを実行させ、
出力装置に、
前記コンテンツ情報送信ステップにより送信された前記コンテンツ情報を受信するコンテンツ情報受信ステップと、
前記コンテンツ情報に対応する前記コンテンツを受信するコンテンツ受信ステップと、
該コンテンツ受信ステップにより受信した前記コンテンツを出力する出力ステップと
を実行させるプログラム。
【請求項１０】
ユーザによるコンテンツの選択の入力を受け付ける入力手段と、
前記ユーザからの前記入力手段への入力により選択された前記コンテンツが所定のコンテンツであるか否かを判定する判定手段と、
該判定手段により前記コンテンツが前記所定のコンテンツであると判定された場合に該コンテンツに関する情報であるコンテンツ情報を出力装置に送信するコンテンツ情報送信手段とを備える端末装置。
【請求項１１】
端末装置から送信されたコンテンツ情報を受信するコンテンツ情報受信手段と、
前記コンテンツ情報に対応するコンテンツを受信するコンテンツ受信手段と、
該コンテンツ受信手段により受信したコンテンツを出力する出力手段と
を備える出力装置。
【発明の詳細な説明】
【技術分野】
【０００１】
この発明は、コンテンツ出力システム、コンテンツ出力方法、プログラム、端末装置および出力装置に関する。詳しくは、インターネット上のコンテンツを容易に検索できるとともに、コンテンツを高品質な状態で出力できるコンテンツ出力システム、コンテンツ出力方法、プログラム、端末装置および出力装置に関する。
【背景技術】
【０００２】
現行のテレビジョン受像機の多くはネットワークに接続する機能、Ｗｅｂ(World Wide Web)ブラウザ機能を備え、インターネットにおけるＷｅｂサイトを閲覧することが可能となっている。さらに、ＭＰＥＧ（Moving Picture Experts Group）などのデコード機能も備えており、ＹｏｕＴｕｂｅ（登録商標）に代表されるいわゆる動画共有サイトや動画配信サイトの動画コンテンツをテレビジョン受像機単独で再生することが可能となっている。テレビジョン受像機でインターネット上の動画コンテンツを再生することにより、パーソナルコンピュータに備え付けられたディスプレイよりも高画質、高音質で迫力のある動画を楽しむことができる。
【０００３】
ここで、動画共有サイトとは、特定又は不特定のユーザが動画コンテンツをアップロードすることができ、また、アップロードされた動画を特定又は不特定のユーザが閲覧することのできるサイトである。動画共有サイトで公開される動画は一般的に、例えば、Ａｄｏｂｅ社製Ｆｌａｓｈ Ｐｌａｙｅｒ(登録商標)を用いてストリーミング再生により提供される。ストリーミングとは、コンテンツデータを受信しながら同時にコンテンツ再生を行うことをいう。
【０００４】
テレビジョン受像機において、インターネット上の動画コンテンツの再生を行うには、ユーザがテレビジョン受像機のリモートコントローラを操作して動画共有サイト上で動画コンテンツを検索するための検索単語入力、動画コンテンツの選択、再生開始の指示などを行わなければならない。
【０００５】
しかし、現行の多くのテレビジョン受像機用のリモートコントローラは動画共有サイトの動画コンテンツの検索、選択などのための操作に適合した構成とはなっていない。また、動画共有サイトにおける動画コンテンツの検索画面、サムネイル表示画面などは、パーソナルコンピュータを用いて利用される場合を想定して構成されている。したがって、リモートコントローラを操作して動画コンテンツの検索、選択を行うのは煩雑であり、テレビジョン受像機によるＷｅｂ動画コンテンツ試聴の普及を阻害する一因となっている。
【０００６】
一方、パーソナルコンピュータには、通常、ＱＷＥＲＴＹキーボードやマウスなどのパーソナルコンピュータにおける入力操作に適した入力デバイスが備え付けられている。そのため、それらの入力デバイスを用いることにより容易にそして迅速に動画コンテンツの検索、選択などを行うことができる。しかし、一般的にパーソナルコンピュータに備え付けられたディスプレイはテレビジョン受像機に比べてサイズが小さい。また、パーソナルコンピュータに備え付けられたスピーカは音質において優れているとはいえない。したがって、パーソナルコンピュータはＷｅｂ動画コンテンツの再生においては、テレビジョン受像機と比較して画質、音質、画面サイズにおいて不利となる。
【０００７】
そこで、ディスプレイ装置とパーソナルコンピュータとを有線で接続して、パーソナルコンピュータからディスプレイ装置へ画像データを送信することにより、パーソナルコンピュータの出力映像をディスプレイ装置で表示する技術が提案されている（特許文献１）。
【先行技術文献】
【特許文献】
【０００８】
【特許文献１】特開２００９―１０６２９号公報
【発明の概要】
【発明が解決しようとする課題】
【０００９】
特許文献１に記載された技術のような、パーソナルコンピュータの映像出力をテレビジョン受像機に送信する技術はいわゆるＰＣ−ＴＶコンバータと称され、インターネット上のコンテンツをテレビジョン受像機で見ることは可能となる。しかし、そのようなＰＣ−ＴＶコンバータではコンテンツを構成する映像データや音声データの送受信を行うため、送受信するデータ量が増加してしまい、パーソナルコンピュータ側、テレビジョン受像機側共に多くの処理行う必要が生じるという問題がある。
【００１０】
したがって、この発明の目的は、パーソナルコンピュータなどの高い操作性を有する端末装置でコンテンツの検索、選択などを行い、その選択したコンテンツをテレビジョン受像機などの高画質、高音質な出力装置で出力することにより、高い操作性とコンテンツの高品質な状態での出力を両立させるコンテンツ出力システム、コンテンツ出力方法、プログラム、端末装置および出力装置を提供することを目的とする。
【課題を解決するための手段】
【００１１】
上述した課題を解決するために、第１の発明は、端末装置と出力装置とからなり、端末装置は、ユーザによるコンテンツの選択の入力を受け付ける入力手段と、ユーザからの入力手段への入力により選択されたコンテンツが所定のコンテンツであるか否かを判定する判定手段と、判定手段によりコンテンツが所定のコンテンツであると判定された場合にコンテンツに関する情報であるコンテンツ情報を出力装置に送信するコンテンツ情報送信手段とを備え、出力装置は、端末装置のコンテンツ情報送信手段から送信されたコンテンツ情報を受信するコンテンツ情報受信手段と、コンテンツ情報に対応するコンテンツを受信するコンテンツ受信手段と、該コンテンツ受信手段により受信したコンテンツを出力する出力手段とを備えるコンテンツ出力システムである。
【００１２】
また、第２の発明は、端末装置と出力装置とからなるコンテンツ出力システムにおけるコンテンツ出力方法であって、端末装置において実行される、ユーザによるコンテンツの選択の入力を受け付ける入力ステップと、入力ステップにおけるユーザからの入力により選択されたコンテンツが所定のコンテンツであるか否かを判定する判定ステップと、判定ステップによりコンテンツが所定のコンテンツであると判定された場合にコンテンツに関する情報であるコンテンツ情報を出力装置に送信するコンテンツ情報送信ステップと、出力装置において実行される、コンテンツ情報送信ステップにより送信されたコンテンツ情報を受信するコンテンツ情報受信ステップと、コンテンツ情報に対応するコンテンツを受信するコンテンツ受信ステップと、コンテンツ受信ステップにより受信したコンテンツを出力する出力ステップと、からなるコンテンツ出力方法である。
【００１３】
また、第３の発明は、端末装置に、ユーザによるコンテンツの選択の入力を受け付ける入力ステップと、入力ステップにおけるユーザからの入力により選択されたコンテンツが所定のコンテンツであるか否かを判定する判定ステップと、判定ステップによりコンテンツが所定のコンテンツであると判定された場合にコンテンツに関する情報であるコンテンツ情報を出力装置に送信するコンテンツ情報送信ステップとを実行させ、出力装置に、コンテンツ情報送信ステップにより送信されたコンテンツ情報を受信するコンテンツ情報受信ステップと、コンテンツ情報に対応するコンテンツを受信するコンテンツ受信ステップと、コンテンツ受信ステップにより受信したコンテンツを出力する出力ステップとを実行させるプログラムである。
【００１４】
また、第４の発明は、ユーザによるコンテンツの選択の入力を受け付ける入力手段と、ユーザからの入力手段への入力により選択されたコンテンツが所定のコンテンツであるか否かを判定する判定手段と、判定手段によりコンテンツが所定のコンテンツであると判定された場合にコンテンツに関する情報であるコンテンツ情報を出力装置に送信するコンテンツ情報送信手段とを備える端末装置である。
【００１５】
さらに、第５の発明は、端末装置から送信されたコンテンツ情報を受信するコンテンツ情報受信手段と、コンテンツ情報に対応するコンテンツを受信するコンテンツ受信手段と、コンテンツ受信手段により受信したコンテンツを出力する出力手段とを備える出力装置である。
【発明の効果】
【００１６】
この発明によれば、パーソナルコンピュータなどの高い操作性を有する端末装置でコンテンツの検索、選択などを行い、その選択したコンテンツをテレビジョン受像機などの高画質、高音質な出力装置で出力することにより、高い操作性とコンテンツの高品質な状態での出力を簡潔かつ容易に両立させることができる。
【図面の簡単な説明】
【００１７】
【図１】コンテンツ出力システムの概略構成を示す図である。
【図２】端末装置としてのパーソナルコンピュータの構成を示すブロック図である。
【図３】端末装置の表示部に表示される表示画面の一例を示す図である。
【図４】出力装置としてのテレビジョン受像機の構成を示す図である。
【図５】コンテンツ出力システムにより行われる処理を示すシーケンス図である。
【図６】端末装置の表示部に表示されるＷｅｂブラウザの一例を示す図である。
【図７】この発明の変形例に係るコンテンツ出力システムの概略構成を示す図である。
【発明を実施するための形態】
【００１８】
以下、この発明の実施の形態について図面を参照しながら説明する。なお、説明は以下の順序で行う。
＜１．実施の形態＞
［１−１．コンテンツ出力システムの構成］
［１−２．端末装置の構成］  
［１−３．出力装置の構成］
［１−４．コンテンツ出力システムの動作］
＜２．変形例＞
【００１９】
＜１．実施の形態＞
［１−１．コンテンツ出力システムの構成］
図１に示すように、この発明に係るコンテンツ出力システム１０は、特許請求の範囲における端末装置としてのパーソナルコンピュータ１００、特許請求の範囲における出力装置としてのテレビジョン受像機２００とから構成されている。そして、そのパーソナルコンピュータ１００とテレビジョン受像機２００は、ルータ３００を用いてＬＡＮ（Local Area Network）を構成し、インターネット４００、Ｗｅｂサーバ５００に接続されている。
【００２０】
ルータ３００は、中継機能を有し、インターネットのルールに従ったＩＰ（Internet Protocol）アドレスをＬＡＮ上に接続された機器に対して付与し、ＬＡＮ上のネットワークに接続された機器が外部のインターネット４００上の他の各種サーバなどと通信できるように機能する。また、ＬＡＮ上に接続された機器が外部のインターネット４００に接続されない場合には、プライベートＩＰアドレスなどをＬＡＮ上に接続された機器に対して付与する処理などを行う。
【００２１】
Ｗｅｂサーバ５００は、Ｗｅｂサイトなどを構成するＨＴＭＬ（HyperText Markup Language）文書や画像データ、さらに動画データ、音声データなどの各種コンテンツを格納するものである。そして、後述するパーソナルコンピュータ１００のＷｅｂブラウザ１０９、テレビジョン受像機のＷｅｂブラウザ２１５からの要求に応じてそれらのデータ、コンテンツを提供するものである。
【００２２】
パーソナルコンピュータ１００とテレビジョン受像機２００は共にＷｅｂブラウザを備え、ルータ３００を介してインターネット４００に接続されていることにより、Ｗｅｂサイトの閲覧、動画共有サイトにおける動画コンテンツの再生などが可能となっている。ここで、コンテンツとは、Ｗｅｂページ、動画コンテンツ、画像コンテンツ、音楽コンテンツ、テキストコンテンツなどを含むものである。本実施の形態では、コンテンツは動画共有サイトにアップロードされた動画コンテンツであり、パーソナルコンピュータ１００で動画コンテンツの検索、選択などを行い、テレビジョン受像機２００でその選択された動画コンテンツの再生を行う場合を例にして説明を行う。
【００２３】
［１−２．端末装置の構成］  
図２はコンテンツ出力システム１０を構成する端末装置としてのパーソナルコンピュータ１００の概略構成を示す図である。パーソナルコンピュータ１００は、入出力インターフェース１０１、入力部１０２、表示部１０３、記憶部１０４、通信部１０５、コンテンツ情報送信部１０６、ディスク再生部１０７および制御部１０８とから構成されている。入力部１０２、表示部１０３、記憶部１０４、通信部１０５、コンテンツ情報送信部１０６、ディスク再生部１０７は入出力インターフェース１０１を介して制御部１０８と接続されている。
【００２４】
入力部１０２は、動画コンテンツ検索のための単語の入力、動画コンテンツの選択、ユーザによる各種の指示の入力などを行う際に用いられるキーボード、マウス、タッチパッド、タッチパネルなどの入力デバイスである。入力部１０２に対して入力が行われるとその入力に応じた制御信号が生成されて、制御部１０８に出力される。入力部１０２は特許請求の範囲における入力手段に相当するものである。
【００２５】
表示部１０３は、ＬＣＤ（Liquid Crystal Display）、ＣＲＴ（Cathode Ray Tube display）、有機ＥＬ（Electro luminescence）ディスプレイ等の表示デバイスであり、Ｗｅｂサイトなどを表示し、ユーザに提供するものである。記憶部１０４は、ハードディスクなどにより構成される大容量記憶媒体であり、パーソナルコンピュータ１００を動作させるための各種データ、プログラム、インターネット４００から取得したコンテンツ、一時ファイルなどを記憶保持するものである。
【００２６】
通信部１０５は、所定のプロトコル、例えば、ＴＣＰ／ＩＰ（Transmission Control Protocol/Internet Protocol）に基づいてインターネット４００、出力装置であるテレビジョン受像機２００との通信を行うためのインターフェース、モデム、ターミナルアダプタなどである。通信部１０５を介して各種データの送受信、動画コンテンツのストリームのダウンロードなどが行われる。
【００２７】
コンテンツ情報送信部１０６は、送信制御部１１３による制御に従い、通信部１０５と同様に所定のプロトコル、例えば、ＴＣＰ／ＩＰに基づいてテレビジョン受像機２００に対してコンテンツ情報を送信するためのインターフェースである。なお、通信部１０５とコンテンツ情報送信部１０６とは、その働きに基づいて便宜上別個のものとして記載してあるが、同一のモジュールとして構成してもよい。通信方式は有線、無線を問わないが、無線ＬＡＮ（Local Area Network）を用いてインターネット４００への接続、ネットワークの構成を行うことにより、配線の簡略化を図ることができる。また、パーソナルコンピュータ１００とテレビジョン受像機２００の自由な配置が可能となる。なお、パーソナルコンピュータ１００、テレビジョン受像機２００間のＬＡＮネットワークが構築されている場合には、インターネット４００を介することなくパーソナルコンピュータ１００からテレビジョン受像機２００へ直接コンテンツ情報を送信するようにするとよい。
【００２８】
制御部１０８は、例えばＣＰＵ（Central Processing Unit）、ＲＡＭ（Random Access Memory）およびＲＯＭ（Read Only Memory）などから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによってパーソナルコンピュータ１００全体の制御を行う。また、制御部１０８は、所定のプログラムを実行することにより、Ｗｅｂブラウザ１０９、コンテンツ判定部１１０、アクセス制御部１１１、ＵＩ（User Interface）表示制御部１１２、送信制御部１１３として機能する。
【００２９】
Ｗｅｂブラウザ１０９はＷｅｂページを閲覧するためのものである。具体的には、Ｗｅｂブラウザ１０９は、通信部１０５およびインターネット４００を介してＷｅｂサーバ５００にアクセスしてＨＴＭＬ、ＸＨＴＭＬ（Extensible HyperText Markup Language）などで表現されたＷｅｂページの情報を取得する。次に、そのＨＴＭＬやＸＨＴＭＬの内容を解析し、解析結果に応じたレイアウトでＷｅｂページを生成して表示部１０３に出力する。そして、Ｗｅｂページは最終的に表示部１０３に表示されてユーザに提供される。
【００３０】
また、Ｗｅｂブラウザ１０９はJavascriptやAdobe Flash Playerなどを動作させることができる。動画共有サイトにおける動画コンテンツはＷｅｂブラウザ１０９とは別個に起動する動画再生ソフトウェアではなく、Adobe Flash PlayerなどのＷｅｂブラウザ１０９内に埋め込まれた動画再生用プラグインにより再生される。また、Ｗｅｂページ上の動画コンテンツには、Apple／QUICKTIME（登録商標）、Microsoft／Windows Media Player（登録商標）などで再生されるものもある。Ｗｅｂブラウザ１０９としては、Mozilla／Firefox（登録商標）、Google／Chrome（登録商標）、Apple／Safari（登録商標）などがある。
【００３１】
コンテンツ判定部１１０は、ユーザが選択したコンテンツが動画コンテンツであるか否かの判定を行うものである。具体的には、Ｗｅｂブラウザ１０９を用いてユーザがアクセスしようとするＷｅｂページが動画コンテンツを再生するページ（以下、動画再生ページと称する。）であるか、ユーザがＷｅｂブラウザ１０９においてリンクをクリックすることにより要求するコンテンツが動画コンテンツであるか否かなどを判定するものである。
【００３２】
コンテンツ判定部１１０におけるコンテンツの判定は例えば、インターネット４００上における情報資源の場所を示すＵＲＩ（Uniform Resource Identifier）を参照することにより行われる。例えば、動画共有サイトがＹｏｕＴｕｂｅの場合、そのトップページは「http://www.youtube.com/」というＵＲＩで表記される。また、ＹｏｕＴｕｂｅの動画検索結果を表示するページは、「http://www.youtube.com/results?search_query=******」というＵＲＩで表記される。そして、ＹｏｕＴｕｂｅにおける動画再生ページは「http://www.youtube.com/watch?v=************」というＵＲＩで表記される。これは、その動画コンテンツのインターネット４００上における場所を示すものである。そこで、コンテンツ判定部１１０は、ユーザがＷｅｂブラウザ１０９を介してクリックすることによりアクセスしようとするページのＵＲＩ、ユーザが選択したコンテンツのＵＲＩを参照して、そのＵＲＩが動画コンテンツを示す「http://www.youtube.com/watch?v=************」であるか否かを判定することによりコンテンツが動画コンテンツであるか否かを判定する。なお、上述の説明はＹｏｕＴｕｂｅを例としたものであって、ニコニコ動画など他の動画共有サイトにおいては、その動画配信サイトにおける動画コンテンツを表すＵＲＩに基づいて判定を行う。なお、ＵＲＩは、ＵＲＬ（Uniform Resource Locator）、ＵＲＮ（Uniform Resource Name）を包括するものである。
【００３３】
コンテンツ判定部１１０による判定は、ユーザが入力部１０２を介してインターネットのサイト、ページ、コンテンツなどのリンクをクリックした際に行われる。なお、判定はＵＲＩに基づいて行うだけでなく、ソースコードを参照することにより行ってもよい。また、コンテンツが動画コンテンツであることを判別することが出来る情報であればどのようなものを参照して判定を行ってもよい。例えば、ユーザがクリックしたリンクのＵＲＩにＭＰ４、ＷＭＶなどのコンテンツが動画ファイルであることを示す識別子が含まれているか否かでコンテンツの判定を行うことも可能である。
【００３４】
アクセス制御部１１１は、ユーザが選択したコンテンツが動画コンテンツであると判定された場合、ユーザが選択したページが動画再生ページであると判定された場合、Ｗｅｂブラウザ１０９によるＷｅｂサーバ５００への接続をトラップ（アクセスを制限する）する制御を行う。すなわち、Ｗｅｂブラウザ１０９による動画再生ページへのアクセスを制限することにより動画コンテンツがパーソナルコンピュータ１００により再生されないようにする。
【００３５】
ＵＩ表示制御部１１２は、ユーザがアクセスしようとしたページが動画再生ページである、または、ユーザが選択したコンテンツが動画コンテンツであると判定された場合に、表示部１０３に所定のＵＩを表示する制御を行うものである。ここで、所定のＵＩとは、例えば、図３に示すように、「テレビで動画を再生します。」などの動画コンテンツがパーソナルコンピュータ１００ではなくテレビジョン受像機２００によって出力されることをユーザに示すメッセージやアイコンである。
【００３６】
このＵＩは、図３Ａに示すように、現在表示されているＷｅｂページの画像から切り替えるようにして表示してもよいし、図３Ｂに示すように現在表示されているＷｅｂページに重畳するようにして表示してもよい。なお、この「テレビで動画を再生します。」という表示は一例であり、表示はユーザに動画の再生がテレビで行われることを通知するものであればどのようなものであってもよい。ＵＩは所定の期間（例えば、数秒間）表示された後に消えるようにするとよい。
【００３７】
送信制御部１１３は、ユーザが選択したコンテンツが動画コンテンツであるとコンテンツ判定部１１０により判定された場合に、そのコンテンツに関するコンテンツ情報がコンテンツ情報送信部１０６を介してテレビジョン受像機２００に送信されるように制御を行うものである。本実施の形態においては、コンテンツ情報は動画共有サイトにおける動画コンテンツを表示するページのＵＲＩである。したがって、動画コンテンツの提供サイトがＹｏｕＴｕｂｅの場合には「http://www.youtube.com/watch?v=************」という、動画再生ページを示すＵＲＩがコンテンツ情報としてコンテンツ情報送信部１０６からテレビジョン受像機２００に対して送信される。また、送信制御部１１３はテレビジョン受像機２００に対して、テレビジョン放送を行う通常のモード（以下、通常ＴＶモードと称する。）から動画コンテンツを再生するモード（以下、Ｗｅｂ動画再生モードと称する。）への切り替えを指示する所定の制御信号をコンテンツ情報送信部１０６を介して送信するように制御を行う。
【００３８】
なお、コンテンツ判定部１１０、アクセス制御部１１１、ＵＩ表示制御部１１２、送信制御部１１３は、それぞれの機能に基づいて便宜上別個の構成として記載されている。しかし、実際には、それらはユーザがパーソナルコンピュータ１００にインストールすることによりＷｅｂブラウザ１０９の機能が拡張されるアドオン、プラグインとして構成され、提供されるようにするとよい。
【００３９】
パーソナルコンピュータ１００は、特許請求の範囲における端末装置の一例であり、端末装置は必ずしもパーソナルコンピュータに限られるものではない。インターネットに接続可能で、Ｗｅｂページを閲覧でき、インターネット上のコンテンツの検索、再生などを行うことができる端末であればどのようなものでもよい。端末装置としては他に、携帯電話機、スマートフォン、携帯ゲーム機などが考えられる。
【００４０】
［１−３．出力装置の構成］
図４はコンテンツ出力システム１０を構成する出力装置としてのテレビジョン受像機２００の概略構成を示す図である。テレビジョン受像機２００は、アナログ放送、地上デジタル放送、ＢＳ放送、ＣＳ放送などを視聴することが可能であるとともに、インターネット接続機能を備え、Ｗｅｂサイトの閲覧、動画コンテンツの視聴などが可能なテレビジョン受像機である。テレビジョン受像機２００は、アンテナ２０１、チューナ２０２、復調部２０３、分離部２０４、映像処理部２０５、表示部２０６、音声処理部２０７、スピーカ２０８、通信部２０９、コンテンツ情報受信部２１０、リモートコントローラ受光部２１１、ＨＤＭＩ（High Definition Multimedia Interface）端子２１２、ＨＤＭＩ受信部２１３、制御部２１４とから構成されている。
【００４１】
アンテナ２０１は地上デジタル放送などの各種の放送波を受信し、その放送波信号をチューナ２０２に供給する。チューナ２０２はアンテナ２０１から供給された放送波信号を中間周波信号に変換して復調部２０３に出力する。復調部２０３は中間周波信号から動画ストリームであるトランスポートストリームを復調して取り出し、分離部２０４に供給する。分離部２０４は、トランスポートストリームを分離するデマルチプレクサとデコードを行うデコーダを含むものである。分離部２０４は、パケット識別子（ＰＩＤ）に基づいて、トランスポートストリームを映像ＰＥＳ（Packetized Elementary Stream）、音声ＰＥＳなどに分離する。そして、分離した映像ＰＥＳ、音声ＰＥＳに所定の信号処理を施して映像信号、音声信号に変換する。音声信号は音声処理部２０７に出力され、映像信号は映像処理部２０５に出力される。
【００４２】
音声処理部２０７は、音声信号に対して増幅処理などの所定の処理を施してスピーカ２０８に出力する。スピーカ２０８は、音声処理部２０７から出力された音声信号を音声として出力してユーザに提供する音声出力手段である。映像処理部２０５は、映像信号に所定の処理を施して表示部２０６に出力する。表示部２０６は、ＬＣＤ、ＣＲＴ、有機ＥＬディスプレイ等の表示デバイスであり、映像処理部２０５から出力された映像信号を映像として表示する。表示部２０６および／またはスピーカ２０８が特許請求の範囲の範囲における出力手段に相当するものである。
【００４３】
通信部２０９は、所定のプロトコル、例えば、ＴＣＰ／ＩＰに基づいてインターネット４００、パーソナルコンピュータ１００との通信を行うためのインターフェース、モデム、ターミナルアダプタなどである。通信部２０９を介して、各種データの送受信、動画コンテンツのストリームのダウンロードなどが行われる。通信部２０９は、特許請求の範囲におけるコンテンツ受信手段に相当する。
【００４４】
コンテンツ情報受信部２１０は、通信部２０９と同様に所定のプロトコル、例えば、ＴＣＰ／ＩＰに基づいてパーソナルコンピュータ１００のコンテンツ情報送信部１０６から送信されたコンテンツ情報を受信するためのインターフェースなどである。なお、通信部２０９とコンテンツ情報受信部２１０とは、その働きに基づいて便宜上別個のものとして記載しているが、同一のモジュールにより構成してもよい。
【００４５】
リモートコントローラ受光部２１１は、ユーザの操作によりテレビジョン受像機２００付属のリモートコントローラ６００から送信されたコントロール信号を受信して制御部２１４に出力する。
【００４６】
制御部２１４は、ＣＰＵ、ＲＡＭおよびＲＯＭなどから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによってテレビジョン受像機２００全体の制御を行う。また、制御部２１４は、所定のプログラムを実行することにより、Ｗｅｂブラウザ２１５として機能する。
【００４７】
Ｗｅｂブラウザ２１５はＷｅｂページを閲覧するためのものである。Ｗｅｂブラウザ２１５は、通信部２０９およびインターネット４００を介してＷｅｂサーバ５００にアクセスしてＨＴＭＬなどで表現されたＷｅｂページの情報を取得する。そして、そのＨＴＭＬの内容を解析し、解析結果に応じたレイアウトでＷｅｂページを生成して映像処理部２０５に出力する。そして、Ｗｅｂページは映像処理部２０５で所定の処理を施された後表示部１０３に出力されることにより、最終的に表示部２０６に表示されてユーザに提供される。また、Ｗｅｂブラウザ２１５はJavascriptやAdobe Flash Playerなどを動作させることができる。動画共有サイトにおける動画コンテンツはＷｅｂブラウザ２１５とは別個に起動する動画再生ソフトウェアではなく、Adobe Flash PlayerなどのＷｅｂブラウザ２１５内に埋め込まれた動画再生用プラグインにより再生される。
【００４８】
また、制御部２１４はリモートコントローラ受光部２１１から出力されたコントロール信号を解読し、そのコントロール信号に応じた制御信号をテレビジョン受像機２００を構成する各部に出力する。これによりユーザの指示に応じた動作（チャンネル選択、音量調整など）がなされるようにテレビジョン受像機２００を制御する。
【００４９】
ＨＤＭＩ端子２１２は、ＨＤＭＩ規格に対応する外部入力端子である。ＨＤＭＩケーブルを用いることによりテレビジョン受像機２００を、ＨＤＭＩ出力機能を備える他の機器と接続することが可能となる。ＨＤＭＩ受信部２１３は、ＨＤＭＩ受信機能を備えたモジュールであり、ＨＤＭＩ端子２１２から入力されたＴＭＤＳ（Transition Minimized Differential Signaling）信号を受信し、そのＴＭＤＳ信号に含まれる映像信号と音声信号、制御信号などを抽出して復元して出力する。
【００５０】
なお、テレビジョン受像機２００は、特許請求の範囲における出力装置の一例であり、出力装置は必ずしもテレビジョン受像機に限られるものではない。インターネットに接続可能で、Ｗｅｂページを閲覧でき、インターネット上の動画コンテンツの再生を行うことができるものであればどのようなものでもよい。出力装置としては他に、パーソナルコンピュータ、携帯電話機、スマートフォン、携帯ゲーム機などが考えられる。
【００５１】
［１−４．コンテンツ出力システムの動作］
コンテンツ出力システム１０は上述のように構成されている。次に、コンテンツ出力システム１０によって行われる処理について図１のコンテンツ出力システム１０の構成概略図、図５のシーケンス図を参照して説明する。
【００５２】
なお、以下に説明するコンテンツ出力システム１０により行われる処理の前に、まず、ユーザはあらかじめ、パーソナルコンピュータ１００とテレビジョン受像機２００に対して、お互いがコンテンツ情報の送受信の対象であることを設定する、いわゆるペアリングを行っておく。ペアリングは、例えば、パーソナルコンピュータ１００とテレビジョン受像機２００との間で通信部１０５、通信部２０９を介して、双方のＩＤ（識別情報）を交換することでなされる。ＩＤは、パーソナルコンピュータ１００およびテレビジョン受像機２００のそれぞれを特定することができるアドレスである。ＩＤとしては、ＭＡＣ(Message Authentication Code)アドレスなどの電子機器製造時に付与されるＩＤ、ネットワークに接続された機器に割り振られる識別番号であるＩＰアドレスなどが使用される。
【００５３】
また、コンテンツ出力システム１０の処理におけるパーソナルコンピュータ１００の動作は、パーソナルコンピュータ１００が動画コンテンツの再生は行わずにコンテンツ情報をテレビジョン受像機２００に送信するモード（以下、コンテンツ情報送信モードと称する。）である場合に行われるものとする。コンテンツ情報送信モードとは言い換えれば、コンテンツ判定部１１０、アクセス制御部１１１、ＵＩ表示制御部１１２、送信制御部１１３が動作するモードである。
【００５４】
パーソナルコンピュータ１００において動画コンテンツを再生するモード（以下、通常ＰＣモードと称する。）とコンテンツ情報送信モードの切り替えをユーザが任意に行えるようにするとよい。そうすることにより、ユーザはパーソナルコンピュータ１００で動画コンテンツを試聴するか、テレビジョン受像機２００で動画コンテンツを視聴するかの選択が可能となる。
【００５５】
通常ＰＣモードとコンテンツ情報送信モードとの切り替えは例えば、図６に示すようにＷｅｂブラウザ１０９にモード切り替えボタン７００を設け、そのモード切り替えボタン７００をクリックすることにより行えるようにするとよい。図６Ａにおいては、モード切り替えボタン７００は暗い色で表示されており、パーソナルコンピュータ１００は通常ＰＣモードになっている。そして、クリックすると図６Ｂに示すようにモード切り替えボタン７００は明るく表示されてパーソナルコンピュータ１００はコンテンツ情報送信モードとなる。このモード切り替えボタン７００によるモードの切り替え機能は、プラグインのインストールによりＷｅｂブラウザ１０９がコンテンツ判定部１１０などの機能を備えた際に同時に備えられるようにするとよい。
【００５６】
以下、コンテンツ出力システム１０による処理について説明する。まず、ユーザによって、パーソナルコンピュータ１００の入力部１０２を介して所定の入力が行われることによりＷｅｂブラウザ１０９が起動される。そして、ユーザがＷｅｂサイト、動画共有サイトなどにアクセスしてコンテンツを検索し、再生する動画コンテンツの選択としてその動画コンテンツのリンクをクリックする（図１中の（１））。
【００５７】
そうすると、コンテンツ判定部１１０によって、ユーザがアクセスしようとしているコンテンツが動画コンテンツであるか否かが判定される。判定は上述のようにコンテンツのＵＲＩを参照することにより行われる。そして、コンテンツが動画コンテンツであると判定された場合、アクセス制御部１１１によりＷｅｂブラウザ１０９による動画コンテンツへのアクセスが制限される。これにより、動画コンテンツはパーソナルコンピュータ１００においては再生されない。次に、ＵＩ表示制御部１１２によりパーソナルコンピュータ１００の表示部１０３に、図３に示すような、動画の再生がテレビジョン受像機２００で行われることを示すメッセージが表示される。
【００５８】
次に、送信制御部１１３の制御により、コンテンツ情報送信部１０６を介して、コンテンツ情報である、ユーザがアクセスしようとした動画コンテンツのＵＲＩがテレビジョン受像機２００に対して送信される（図１中の（２））。同時に、テレビジョン受像機２００に対して、通常ＴＶモードからＷｅｂ動画再生モードへの切り替えを指示するモード切り替え信号も送信される。コンテンツ情報の送信後は、パーソナルコンピュータ１００は他の動画の検索、他のＷｅｂページの閲覧、アプリケーションの起動など他の操作が可能となる。したがって、動画の再生がテレビジョン受像機２００で行われることを示すメッセージは表示後所定の時間経過後に消えるようにするとよい。
【００５９】
次にテレビジョン受像機２００は、パーソナルコンピュータ１００から送信されたコンテンツ情報およびモード切り替え信号をコンテンツ情報受信部２１０で受信すると、Ｗｅｂ動画再生モードへと自動的に切り替わる。なお、このコンテンツ情報およびモード切り替え信号の送受信は、図１に示すようにパーソナルコンピュータ１００とテレビジョン受像機２００とを含んでＬＡＮが構成されている場合には、インターネット４００を介することなく、パーソナルコンピュータ１００からテレビジョン受像機２００へ直接送信するようにするとよい。
【００６０】
この発明においては、パーソナルコンピュータ１００、テレビジョン受像機２００間で動画データ、音声データなどの容量が大きいデータの送受信は行わず、送受信されるのはＵＲＩとモード切り替え信号のみであるので、伝送量を少なく抑え、送受信のために行われる処理を少なくすることができる。したがって、メモリの容量が少ない、ＣＰＵの性能が低いなどのいわゆる低スペックなパーソナルコンピュータ、テレビジョン受像機でもコンテンツ出力システムを構成することができる。
【００６１】
テレビジョン受像機２００はＷｅｂ動画再生モードへの切り替え後、Ｗｅｂブラウザ２１５を起動する。そして、パーソナルコンピュータ１００から送信されたコンテンツ情報であるＵＲＩに基づいてＷｅｂブラウザ２１５によりＷｅｂサーバ５００にアクセスする。そして、ＡＰＩ（Application Program Interface）を介してＷｅｂサーバ５００に対して、動画コンテンツの送信（動画コンテンツの配信開始）を要求する（図１中の（３））。
【００６２】
コンテンツ配信開始要求を受けたＷｅｂサーバ５００は、インターネット４００を介して動画コンテンツをテレビジョン受像機２００に送信する（図１中の（４））。そして、テレビジョン受像機２００は、表示部２０６に動画コンテンツを表示して動画コンテンツのストリーミング再生を開始する。なお、動画コンテンツを再生する場合は、いわゆる全画面表示で再生するようにするとよい。全画面表示で再生することにより、一般的に画面のサイズがパーソナルコンピュータよりも大きいテレビジョン受像機の利点をより生かすことができる。
【００６３】
テレビジョン受像機２００での動画コンテンツ再生開始後は、テレビジョン受像機２００付属のリモートコントローラ６００で動画コンテンツの早送り、巻き戻し、一時停止などを行えるようにするとよい。また、テレビジョン受像機２００付属のリモートコントローラ６００にＷｅｂ動画再生モードから通常ＴＶモードへ切り替える指示の入力のためのボタン（入力手段）を設けるとよい。これにより、動画コンテンツ再生中、動画コンテンツ終了後などいつでもＷｅｂ動画再生モードから通常ＴＶモードへの切り替えが可能となる。
【００６４】
また、通常ＰＣモードのパーソナルコンピュータ１００において動画コンテンツを再生中にモード切り替えボタン７００がクリックされた場合にもコンテンツ情報送信モードに切り替えて、コンテンツ情報をテレビジョン受像機２００に送信するようにするとよい。この場合、モード切り替えボタン７００がクリックされて通常ＰＣモードからコンテンツ情報送信モードに切り替わると、その時点で再生中である動画コンテンツのＵＲＩを参照し、上述の説明と同様にその動画コンテンツのＵＲＩの送信、アクセス制御、ＵＩの表示を行う。これにより、パーソナルコンピュータ１００で動画コンテンツを再生中であっても、再度その動画コンテンツのリンクをクリックすることなくその動画コンテンツをテレビジョン受像機２００で再生することが可能となる。
【００６５】
このようにして、ユーザは動画コンテンツの検索、選択などについてはキーボード、マウスなどを備えることにより高い操作性を有するパーソナルコンピュータ１００を用いて行い、動画コンテンツの再生はテレビジョン受像機２００で行うことができる。これにより、動画コンテンツの検索などを容易にそして迅速に行うことができると共に、動画コンテンツの視聴は大画面で高画質、高音質な状態で行うことができる。この発明を用いることにより、高い操作性を有するパーソナルコンピュータ１００とコンテンツの高品質な出力が可能なテレビジョン受像機２００とを双方の優位点を最大限生かすように連携させることができる。これにより、テレビジョン受像機２００による動画コンテンツの再生が容易になることで、Ｗｅｂ上の動画コンテンツ再生の機会が増え、動画コンテンツ自体の価値が高まると考えられる。
【００６６】
また、この発明は、コンテンツの選択後にコンテンツの受信を行う装置を端末装置から出力装置へと切り替えるものである。したがって、出力装置の通信速度が端末装置に比べて高速である場合には、動画コンテンツのダウンロードをより迅速に行うことができるため、ストレスなく動画コンテンツを視聴することができる。例えば、端末装置が３Ｇ（第３世代携帯電話）方式で通信を行うスマートフォンであり、出力装置が光ファイバなどでインターネットに接続可能なテレビジョン受像機である場合などである。
【００６７】
＜２．変形例＞
以上、この発明の実施の形態について具体的に説明したが、この発明は、上述の実施形態に限定されるものではなく、この発明の技術的思想に基づく範囲内で各種の変形や適用が可能である。上述の実施の形態では、コンテンツは動画共有サイトの動画コンテンツである場合を例にして説明したが、コンテンツは動画コンテンツに限られない。コンテンツはＷｅｂページ、画像コンテンツ、音楽コンテンツ、テキストコンテンツなどでもよい。例えば、コンテンツがインターネット上の画像である場合、そのＵＲＩには「http://**********.jpg」、「http://**********.gif」のように画像であることを示す拡張子が含まれるので、コンテンツ判定部１１０は、ＵＲＩに画像を示す拡張子を参照することにより、コンテンツの種別を判定することができる。
【００６８】
また、上述の実施の形態では、無線ＬＡＮを用いて端末装置と出力装置とを接続する場合を挙げて説明を行ったが、端末装置と出力装置間の接続は無線ＬＡＮに限られない。例えば、図７に示すようにBluetooth（登録商標）、ZigBee（登録商標）を用いて接続することも可能である。また、赤外線通信を用いることも可能である。
【００６９】
また、上述の実施の形態では、端末装置としてのパーソナルコンピュータ１００で動画コンテンツの検索などを行い、動画コンテンツの再生をテレビジョン受像機２００で行う場合を想定して説明を行ったが、この発明の利用はそのような場合に限られない。例えば、パーソナルコンピュータ１００で動画コンテンツの検索を行い、そのＵＲＩをインターネット４００に接続可能なスマートフォンや携帯ゲーム機などの携帯端末に送信する。そして、その携帯端末を使ってパーソナルコンピュータ１００が設置されている場所とは異なる場所で動画コンテンツを視聴する、ということも可能である。また、インターネット上の音楽コンテンツのＵＲＩをインターネットに接続されたオーディオシステムに送信し、高音質で音楽コンテンツを聴くことも可能である。
【符号の説明】
【００７０】
１０・・・・コンテンツ出力システム
１００・・・パーソナルコンピュータ
１０２・・・入力部
１０５・・・通信部
１０６・・・コンテンツ情報送信部
１０９・・・Ｗｅｂブラウザ
１１０・・・コンテンツ判定部
２００・・・テレビジョン受像機
２０９・・・通信部
２１０・・・コンテンツ情報受信部
２１５・・・Ｗｅｂブラウザ
【図１】
2011254287.tif 000003
【図２】
2011254287.tif 000004
【図３】
2011254287.tif 000005
【図４】
2011254287.tif 000006
【図５】
2011254287.tif 000007
【図６】
2011254287.tif 000008
【図７】
2011254287.tif 000009